【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
内部組織壁の孔に部分的に挿入されて孔を封止するための組織孔封止具であって：
封止具の第１の端部から封止具の第２の端部まで延在するフィラメントと；
内部組織壁の孔に挿入されるように封止具の第２の端部でフィラメントに取り付けられたアンカーと；
アンカーに隣接してフィラメントに摺動可能に取り付けられたシールプラグと；
シールプラグに隣接して配置された締め上げチューブと；
封止具を内部組織壁の孔から引き出す際に生じる力によりシールプラグを締め上げ，締め上げチューブをシールプラグに向けて自動的に締め上げるための自動駆動機構と；
を具える組織孔封止具。
【請求項２】
内部組織壁の孔に部分的に挿入されて孔を封止するための請求項１に記載の組織孔封止具であって，自動駆動機構が，封止具を内部組織壁の孔から引き出す際に締め上げチューブをシールプラグに向けて移動させる変換手段を具える組織孔封止具。
【請求項３】
内部組織壁の孔に部分的に挿入されて孔を封止するための請求項２に記載の組織孔封止具であって，変換手段が：
フィラメントの一部を巻回したスプールと；
スプールに係合するギヤと；
ギヤにより直接的又は間接的に駆動される締め上げチューブ用ドライバと；
を具える組織孔封止具。
【請求項４】
内部組織壁の孔に部分的に挿入されて孔を封止するための請求項３に記載の組織孔封止具であって，締め上げチューブ用ドライバが，フィラメントの周りに摺動可能に配置された可撓性ラック又は剛性チューブを具える組織孔封止具。
【請求項５】
内部組織壁の孔に部分的に挿入されて孔を封止するための請求項３に記載の組織孔封止具であって，アンカーが展開され，かつ，封止具を組織壁の孔から引き出す際に，スプールによりギヤを駆動して回転させ，ギヤで締め上げチューブ用ドライバを駆動する組織孔封止具。
【請求項６】
内部組織壁の孔に部分的に挿入されて孔を封止するための請求項３に記載の組織孔封止具であって，ギヤが歯車列を具え，該歯車列のスプールに対するギヤ比が少なくとも２．５：１である組織孔封止具。
【請求項７】
内部組織壁の孔に部分的に挿入されて孔を封止するための請求項３に記載の組織孔封止具であって，スプールとギヤとの間に配置されたトルク制限クラッチを更に具える組織孔封止具。
【請求項８】
内部組織壁の孔に部分的に挿入されて孔を封止するための請求項３に記載の組織孔封止具であって，締め上げチューブ用ドライバが締め上げチューブでもある組織孔封止具。
【請求項９】
内部組織壁の孔に部分的に挿入されて孔を封止するための請求項２に記載の組織孔封止具であって，変換手段が，封止具の基端に配置された電子スイッチと，該電子スイッチに接続されたモータとを具え，組織壁の孔からの封止具の引き出しにより電子スイッチを投入してモータを作動させ，締め上げチューブをシールプラグに向けて移動させる組織孔封止具。
【請求項１０】
内部組織壁の孔に部分的に挿入されて孔を封止するための請求項９に記載の組織孔封止具であって，モータが，シールプラグに締め上げ力を作用させるサーボモータ又はソレノイドである組織孔封止具。
【請求項１１】
内部組織壁の孔に部分的に挿入されて孔を封止するための請求項２に記載の組織孔封止具であって，変換手段が，モータに接続され，かつ，組織壁の孔からの封止具の引き出しを検出又は測定すると共に，封止具の組織壁の孔からの引き出しに際して信号を発生する光学的センサを具える組織孔封止具。
【請求項１２】
内部組織壁の孔に部分的に挿入されて孔を封止するための請求項１１に記載の組織孔封止具であって，光学的センサが発生した信号を，モータを起動させて締め上げチューブをシールプラグに向けて移動させるための電気信号に変換する組織孔封止具。
【請求項１３】
内部組織壁の孔に部分的に挿入されて孔を封止するための請求項１に記載の組織孔封止具であって，フィラメントを少なくとも部分的に基端側に向けてアンカーから戻し方向に延在させ，シールプラグと再係合させた組織孔封止具。
【請求項１４】
経皮切開によりアクセス可能な内部組織壁の孔に部分的に挿入されて孔を封止するための組織孔封止具であって，封止具が：
組織壁の孔の周りに配列され，かつ係止されるアンカーに先端で接続され，かつ，アンカーの基端に配置されたシールプラグに接続されるフィラメントと；
封止具の組織壁の孔からの引き出しと同時にシールプラグをフィラメントに沿って先端方向でアンカーに向けて自動的に駆動する自動駆動手段と；
を具える組織孔封止具。
【請求項１５】
請求項１４に記載の組織孔封止具であって，自動駆動手段が，シールプラグ用ドライバの線速度を封止具引き出しの線速度に対して増加させる手段を更に具える組織孔封止具。
【請求項１６】
請求項１４に記載の組織孔封止具であって，自動駆動手段が，組織孔封止具からのフィラメントの基端の引き出しにより生じる運動力を，シールプラグに作用させる直線的な締め上げ力に変換する変換手段を具える組織孔封止具。
【請求項１７】
請求項１６に記載の組織孔封止具であって，変換手段が，フィラメントの基端が巻回され，かつ，結合されスプールを具え，フィラメントの基端のスプールからの引き戻しによりスプールを回転させ，ねじり運動力を発生させる組織孔封止具。
【請求項１８】
請求項１７に記載の組織孔封止具であって，変換手段が，スプールの発生するねじり運動力をシールプラグに作用させる直線的な締め上げ力に変換する機械的歯車列を具える組織孔封止具。
【請求項１９】
請求項１８に記載の組織孔封止具であって，機械的歯車列が，スプールと一体の第１のギヤと，第１のギヤおよび締め上げチューブ用ドライバに係合する第２のギヤとを具え，スプールのねじり運動力により第１のギヤ，第２のギヤおよび締め上げチューブ用ドライバを駆動する組織孔封止具。
【請求項２０】
請求項１９に記載の組織孔封止具であって，締め上げチューブ用ドライバの線速度を封止具引き出しの線速度に対して増加させるギヤ比を有する組織孔封止具。
【請求項２１】
請求項２０に記載の組織孔封止具であって，スプールと第１のギヤとの間に配置されたトルク制限クラッチを更に具える組織孔封止具。
【請求項２２】
請求項１６に記載の組織孔封止具であって，変換手段が，封止具の基端に配置され，かつ，モータに接続された電子スイッチを具え，封止具からのフィラメントの引き戻しにより電子スイッチを投入してモータを作動させ，シールプラグに締め上げ力を作用させる組織孔封止具。
【請求項２３】
請求項２２に記載の組織孔封止具であって，モータが，サーボモータ又はソレノイドである組織孔封止具。
【請求項２４】
請求項１６に記載の組織孔封止具であって，変換手段が，モータに接続され，かつ，組織壁の孔からの封止具の引き出しを検出又は測定すると共に，封止具の組織壁の孔からの引き出しに際して信号を発生する光学的センサを具える組織孔封止具。
【請求項２５】
請求項２４に記載の組織孔封止具であって，光学的センサが発生した信号を，モータを起動させるための電気信号に変換し，モータによりシールプラグに作用させる直線的な締め上げ力を発生させる組織孔封止具。
【請求項２６】
経皮切開によりアクセス可能な内部組織壁の孔に部分的に挿入されて孔を封止するための組織孔封止具であって，封止具が：
組織壁の先端側に配列されるアンカーと；
組織壁の先端側に配列されるシールプラグと；
アンカーおよびシールプラグに先端で結合され，アンカーおよびシールプラグを織壁の孔の周りで互いに締め上げるフィラメントとを具え，シールプラグがアンカーに近接してフィラメント上で摺動可能に配置され；さらに
フィラメント上に配置され，シールプラグをフィラメントに沿ってアンカーに向けて駆動する締め上げチューブと；
フィラメントの基端を巻回した貯留スプールと；
貯留スプールに係合する第１のギヤとを具え；
封止具の組織壁の孔からの引き出しによりフィラメントを貯留スプールから巻き戻して第１のギヤを作動させ，締め上げ力を締め上げチューブに対して直接的または間接的に作用させる組織孔封止具。
【請求項２７】
経皮切開によりアクセス可能な内部組織壁の孔に部分的に挿入されて孔を封止するための請求項２６に記載の組織孔封止具であって，第１のギヤと，フィラメントに配置されたラックとに係合する第２のギヤを更に具え，第２のギヤの作動によりラックを駆動し，封止具の組織壁の孔からの引き出しに際してラックにより，締め上げチューブをフィラメントに沿い，アンカーに向けて自動的に駆動する組織孔封止具。
【請求項２８】
経皮切開によりアクセス可能な内部組織壁の孔に部分的に挿入されて孔を封止するための請求項２６に記載の組織孔封止具であって，スプールと第１のギヤとの間に配置されたトルク制限クラッチを更に具える組織孔封止具。
【請求項２９】
経皮切開によりアクセス可能な内部組織壁の孔に部分的に挿入されて孔を封止するための請求項２６に記載の組織孔封止具であって，ラックが締め上げチューブと一体である組織孔封止具。
【請求項３０】
経皮切開によりアクセス可能な内部組織壁の孔を封止するための封止方法であって：
封止具を組織壁の孔から引き出し；
封止具の第１の方向への引き出しにより発生して締め上げ部材を移動させる運動力を，第２の方向に作用する締め上げ力に自動的に変換し；
内部組織壁の孔から締め上げ部材を引き出す封止方法。
【請求項３１】
経皮切開によりアクセス可能な内部組織壁の孔を封止するための請求項３０に記載の封止方法であって，第２の方向における締め上げ力をシールプラグに作用させる封止方法。
【請求項３２】
経皮切開によりアクセス可能な内部組織壁の孔を封止するための請求項３１に記載の封止方法であって，フィラメントに対して摺動可能に配置されたラックに運動力を伝達し，フィラメントがシールプラグに結合されている封止方法。
【請求項３３】
経皮切開によりアクセス可能な内部組織壁の孔を封止するための請求項３２に記載の封止方法であって，運動力の伝達が，フィラメントに取り付けられたアンカーを組織の孔の内側で展開させ，封止具を組織の孔から引き出す際にフィラメントをスプールから自動的に巻き戻すことを具える封止方法。
【請求項３４】
経皮切開によりアクセス可能な内部組織壁の孔を封止するための請求項３３に記載の封止方法であって，フィラメントのスプールからの自動的な巻き戻しが，スプールの回転を含み，スプールの回転が運動力を発生する封止方法。
【請求項３５】
経皮切開によりアクセス可能な内部組織壁の孔を封止するための請求項３４に記載の封止方法であって，運動力の伝達が，締め上げ部材およびスプールに結合された歯車列を駆動することを含む封止方法。
【請求項３６】
経皮切開によりアクセス可能な内部組織壁の孔を封止するための請求項３４に記載の封止方法であって，スプールと第１のギヤとの間に配置されたトルク制限クラッチによりトルク伝達を制限する封止方法。
【請求項３７】
経皮切開によりアクセス可能な内部組織壁の孔を封止するための請求項３０に記載の封止方法であって，封止具の組織壁の孔からの引き出しにより生じる運動力を，モータに接続された電子スイッチまたは光学的スイッチにより締め上げ力に自動的に変換する封止方法。
【請求項３８】
経皮切開によりアクセス可能な内部組織壁の孔を封止するための封止方法であって：
締め上げ部材と，アンカーに結合されると共に，アンカーに隣接して配置され，組織孔の周りに配置され，かつ，係止されるシールプラグに対しても結合されたフィラメントとを具える組織孔封止具を用意し；
組織孔封止具を経皮切開部に挿入し；
アンカーを組織孔内に展開し；
組織孔封止具を経皮切開部から引き出し；
組織孔封止具を組織孔から引き出す際に発生する力により締め上げ部材を介してシールプラグを自動的に締め上げる封止方法。